(57)【要約】【課題】演出操作を自動的に行うことができ、さらに、演出効果の制御を行うことのできる発光指示装置及び発光システムを提供すること。【解決手段】発光器１に赤外線信号を出力することでこの発光器２に発光を指示する発光指示装置２は、オーディオ信号の入力を受け入れる入力インタフェース１２と、オーディオ信号の時間軸上におけるピーク位置を検出するピーク検出部１４と、ピーク検出部１４によりピーク位置が検出されたことをトリガとして、発光器１により発光される色及びパターンの少なくとも一つの変更指示信号を含む制御コードを生成し、この制御コードによって変調した赤外線信号を出力する駆動制御部１６とを有する。【選択図】図３
2018195442.tif 000002
【特許請求の範囲】
【請求項１】
発光器に赤外線信号を出力することでこの発光器に発光を指示する発光指示装置であって、
音響信号の入力を受け入れる入力部と、前記音響信号の時間軸上におけるピーク位置を検出するピーク検出部と、前記ピーク検出部により前記ピーク位置が検出されたことをトリガとして、前記発光器により発光される色及びパターンの少なくとも一つの変更指示信号を含む制御コードを生成し、この制御コードによって変調した前記赤外線信号を出力する駆動制御部とを有することを特徴とする発光指示装置。
【請求項２】
前記ピーク検出部は、前記音響信号の電圧値の絶対値が所定の閾値を超えたか否かを判定し、前記閾値を超えたと判定することにより前記音響信号の前記時間軸上における前記ピーク位置を検出することを特徴とする請求項１に記載の発光指示装置。
【請求項３】
前記ピーク検出部は、前記音響信号の電圧値の変更指示を受け入れる変更入力部を有することを特徴とする請求項２に記載の発光指示装置。
【請求項４】
前記ピーク検出部は、前記音響信号の電圧値の絶対値が所定の閾値を超えたと判定したタイミングにおいて所定幅のパルス信号を出力することを特徴とする請求項２または３に記載の発光指示装置。
【請求項５】
前記発光指示装置は、前記ピーク検出部が出力するパルス信号のパルス幅を広くするパルス幅調整部を有し、前記駆動制御部は、前記パルス幅調整部から出力されるパルス信号をトリガとすることを特徴とする請求項４に記載の発光指示装置。
【請求項６】
前記駆動制御部は、前記パルス幅調整部からのパルス信号出力をトリガとして、前記発光器により所定時間だけ特定の色及びパターンの少なくとも一つによる発光を継続させる前記変更指示信号を出力し、前記所定時間内に再度前記パルス幅調整部からのパルス信号出力があったら、前記特定の色及びパターンの少なくとも一つとは異なる前記色及びパターンの少なくとも一つによる発光を指示する変更指示信号を出力することを特徴とする請求項５に記載の発光指示装置。
【請求項７】
前記駆動制御部は、前記所定時間内に再度前記パルス幅調整部からのパルス信号出力がなかったら、前記発光器の消灯を指示する前記変更指示信号を出力することを特徴とする請求項６に記載の発光指示装置。
【請求項８】
複数の発光器とこの発光器に赤外線信号を出力することで前記発光器に発光を指示する発光システムであって、
前記発光指示装置は、音響信号の入力を受け入れる入力部と、前記音響信号の時間軸上におけるピーク位置を検出するピーク検出部と、前記ピーク検出部により前記ピーク位置が検出されたことをトリガとして、前記発光器により発光される色及びパターンの少なくとも一つの変更指示信号を含む制御コードを生成し、この制御コードによって変調した前記赤外線信号を出力する駆動制御部とを有し、
前記発光器は、前記赤外線信号を受信する受信部と、前記受信部が受信した前記赤外線信号から前記制御コードを抽出する抽出部と、可視光を発光する可視光発光部と、前記制御コードに基づいて前記発光部を駆動制御する発光駆動制御部とを有することを特徴とする発光システム。
【発明の詳細な説明】
【技術分野】
【０００１】
この発明は、発光器に赤外線信号を出力することでこの発光器に発光を指示する発光指示装置及び発光システムに関するものである。
【背景技術】
【０００２】
例えばイベントやコンサート会場において、観客が所持する発光器に対して発光指示装置から制御コードを含む赤外線信号を出力し、赤外線信号を受信した発光器に所定のパターン及び色の発光をさせる発光システムは既知である（例えば特許文献１参照）。このような発光システムにおいて、発光器による発光パターンの演出効果を高めることを目的として、マイクロホンから入力される音声を周波数帯域毎の信号に４分割した後でアナログ／デジタル変換し、各周波数帯域毎のデジタル信号に基づいて発光処理コマンドを作成して親機から子機に送信し、子機がこの発光処理コマンドに基づいて発光部を発光させる構成が開示されている（特許文献２参照）。
【０００３】
特許文献１に開示された発光システムでは、発光指示装置を操作する操作者（オペレータ）が操作卓等を用いて発光器による発光パターンを変更させる指示を行い、これに基づいて発光指示装置が制御コードを変更することで発光器の発光パターンを変更していた。従って、発光システムにおいて発光パターンを変更させるための操作者が個々のシステム毎に必要であったので、小規模なイベント等において都度操作者及び操作卓等を必要とするのは、コスト的にも不利であった。
【０００４】
特許文献２に開示された発光システムであれば、かかる操作者や操作卓等を用いずとも発光器による発光パターンを変化させることができて好ましい。
【先行技術文献】
【特許文献】
【０００５】
【特許文献１】特許第５４３３５９６号公報
【特許文献２】特開２００５−２５１４８２号公報
【発明の概要】
【発明が解決しようとする課題】
【０００６】
しかしながら、上述した従来の発光システムは、演者の音声及びその変化に応じて発光部を発光させていたので、その演出効果を事前に予測、制御することが困難であった。
【０００７】
そこで、この発明は、演出操作を自動的に行うことができ、さらに、演出効果の制御を行うことのできる発光指示装置及び発光システムを提供することを目的とするものである。
【課題を解決するための手段】
【０００８】
この目的を達成するため、この発明は、発光器に赤外線信号を出力することでこの発光器に発光を指示する発光指示装置において、音響信号の入力を受け入れる入力部と、音響信号の時間軸上におけるピーク位置を検出するピーク検出部と、ピーク検出部によりピーク位置が検出されたことをトリガとして、発光器により発光される色及びパターンの少なくとも一つの変更指示信号を含む制御コードを生成し、この制御コードによって変調した赤外線信号を出力する駆動制御部とを有することを特徴とする。
【０００９】
ここで、ピーク検出部は、音響信号の電圧値の絶対値が所定の閾値を超えたか否かを判定し、閾値を超えたと判定することにより音響信号の時間軸上におけるピーク位置を検出するとよい。
【００１０】
また、ピーク検出部は音響信号の電圧値の変更指示を受け入れる変更入力部を有するとよい。
【００１１】
さらに、ピーク検出部は、音響信号の電圧値の絶対値が所定の閾値を超えたと判定したタイミングにおいて所定幅のパルス信号を出力するとよい。
【００１２】
さらに、発光指示装置は、ピーク検出部が出力するパルス信号のパルス幅を広くするパルス幅調整部を有し、駆動制御部は、パルス幅調整部から出力されるパルス信号をトリガとするとよい。
【００１３】
さらに、駆動制御部は、パルス幅調整部からのパルス信号出力をトリガとして、発光器により所定時間だけ特定の色及びパターンの少なくとも一つによる発光を継続させる変更指示信号を出力し、所定時間内に再度パルス幅調整部からのパルス信号出力があったら、特定の色及びパターンの少なくとも一つとは異なる色及びパターンの少なくとも一つによる発光を指示する変更指示信号を出力するとよい。
【００１４】
さらに、駆動制御部は、所定時間内に再度パルス幅調整部からのパルス信号出力がなかったら、発光器の消灯を指示する変更指示信号を出力するとよい。
【００１５】
また、この発明は、複数の発光器とこの発光器に赤外線信号を出力することで発光器に発光を指示する発光システムにおいて、発光指示装置は、音響信号の入力を受け入れる入力部と、音響信号の時間軸上におけるピーク位置を検出するピーク検出部と、ピーク検出部によりピーク位置が検出されたことをトリガとして、発光器により発光される色及びパターンの少なくとも一つの変更指示信号を含む制御コードを生成し、この制御コードによって変調した赤外線信号を出力する駆動制御部とを有し、発光器は、赤外線信号を受信する受信部と、受信部が受信した赤外線信号から制御コードを抽出する抽出部と、可視光を発光する可視光発光部と、制御コードに基づいて発光部を駆動制御する発光駆動制御部とを有することを特徴とする。
【発明の効果】
【００１６】
このような本発明の発光指示装置は、音響信号の入力を受け入れる入力部と、音響信号の時間軸上におけるピーク位置を検出するピーク検出部と、ピーク検出部によりピーク位置が検出されたことをトリガとして、発光器により発光される色及びパターンの少なくとも一つの変更指示信号を含む制御コードを生成し、この制御コードによって変調した赤外線信号を出力する駆動制御部とを有する。
【００１７】
上記した構成なので、音響信号のピーク位置に基づいて発光器による発光パターンを変更させることができ、演出操作を自動的に行うことができ、さらに、演出効果に応じた楽曲等の音響信号を選択することにより、演出効果の制御を行うことができる。
【００１８】
ここで、ピーク検出部が音響信号の電圧値の絶対値が所定の閾値を超えたか否かを判定し、閾値を超えたと判定することにより音響信号の時間軸上におけるピーク位置を検出する場合は、一定の音響効果に基づいて確実に発光器による発光パターンを変更させることができ、演出効果の制御を確実に行うことができる。
【００１９】
また、ピーク検出部が音響信号の電圧値の変更指示を受け入れる変更入力部を有する場合は、音響信号の傾向に応じてこの電圧値を変更することにより、音響効果に基づいて的確に発光器による発光パターンを変更させることができ、演出効果の制御をより確実に行うことができる。
【００２０】
さらに、発光指示装置がピーク検出部が出力するパルス信号のパルス幅を広くするパルス幅調整部を有し、駆動制御部がパルス幅調整部から出力されるパルス信号をトリガとする場合は、パルス幅調整部から出力されるパルス信号に基づいて駆動制御部が確実に制御コードを生成することができ、演出効果の制御を確実に行うことができる。
【００２１】
さらに、駆動制御部が、パルス幅調整部からのパルス信号出力をトリガとして、発光器により所定時間だけ特定の色及びパターンの少なくとも一つによる発光を継続させる変更指示信号を出力し、所定時間内に再度パルス幅調整部からのパルス信号出力があったら、特定の色及びパターンの少なくとも一つとは異なる色及びパターンの少なくとも一つによる発光を指示する変更指示信号を出力する場合は、パルス幅調整部からのパルス信号出力がある度に発光器による発光パターンを異ならせることができ、これにより、演出効果の制御を確実に行うことができる。
【００２２】
さらに、駆動制御部が、所定時間内に再度パルス幅調整部からのパルス信号出力がなかったら、発光器の消灯を指示する変更指示信号を出力する場合は、音響信号の出力が小さい、あるいはほとんどないときに発光器を消灯する制御を行うことができ、これにより、演出効果の制御を確実に行うことができる。
【００２３】
このような本発明の発光システムは、上記した本発明の発光指示装置を有する構成とされている。
【００２４】
上記した構成なので、上記した本発明の発光指示装置の効果を奏する発光システムとすることができる。
【図面の簡単な説明】
【００２５】
【図１】一実施例の発光システムの概略を示す概念図である。
【図２】一実施例の発光指示装置を構成する投光器を示す斜視図である。
【図３】一実施例の発光システムの概略構成を示すブロック図である。
【図４】一実施例の発光指示装置の概略構成を示す回路図である。
【図５】一実施例の発光システムを構成する発光器の概略構成を示すブロック図である。
【図６】一実施例の発光器を示す上面図である。
【図７】一実施例の発光指示装置から出力される赤外線信号を示す波形図である。
【図８】一実施例の発光器の動作を説明するためのフローチャートである。
【図９】一実施例の発光指示装置の動作を説明するための波形図である。
【図１０】一実施例の発光指示装置の動作を説明するためのフローチャートである。
【発明を実施するための形態】
【００２６】
以下、この発明の実施の形態を図面に基づいて説明する。
［一実施例］
【００２７】
＜発光指示装置＞
本実施例の発光指示装置について、図１〜図４を参照して説明する。図１は一実施例の発光システムの概略を示す概念図、図２は一実施例の発光指示装置を構成する投光器を示す斜視図、図３は一実施例の発光システムの概略構成を示すブロック図、図４は一実施例の発光指示装置の概略構成を示す回路図である。
【００２８】
本実施例の発光システムＳは、後述する複数の発光器１と、この発光器１に赤外線信号を出力することで発光を指示する発光指示装置２とを備える。
【００２９】
発光指示装置２は、図１に示すように、ホールＨのステージＳＴ後方に配置された投光器３と、この投光器３に制御コードを含む赤外線信号を出力させるコントローラ４とを有する。
【００３０】
投光器３は、本実施例ではステージＳＴ後方に一対設けられ、これら投光器３から出力される赤外線信号は、少なくとも一方の投光器３からの赤外線信号がホールＨの全ての客席ＳＥに到達するように、その照射範囲（出力範囲）Ｅ及び照射方向（出力方向）が設定されている。
【００３１】
投光器３は、図２に詳細を示すように、複数の発光ダイオードＤを平面状に配置した光源５及び図略の駆動電源と、これらを収容する筐体６とから構成されている。一例として、投光器３の筐体６には吊り下げ用のブラケット７が設けられている。当該ブラケット７は、図示した姿勢で吊り下げるために用いてもよいし、地上に載置する三脚等に天地を逆にして取り付けるために用いてもよい。投光器３は、後述するコントローラ４により発光制御が行われる。
【００３２】
投光器３は、横長の開口８を有している。この投光器３の開口８には、光源５（発光部）として複数の発光ダイオードＤが配列されており、前記開口８を介して赤外光を前方に対して放射するようになっている。
【００３３】
光源５は、プリント配線基板上に縦、横等間隔で均一に配置された複数の発光ダイオードＤを設けた一または二以上の発光板によって構成している。図示した例では、縦横比を約１：２の外形に形成した発光板を横方向に２枚並べることで、縦幅（縦の長さ）に比べて横幅（横方向の長さ）が十分に長い縦横比が約１：４の平面状を成す光源を形成している。
【００３４】
前述したように投光器３の開口８は光源５の形状に合わせて横長に形成されている。また、光源５を構成する個々の発光ダイオードＤは、前記開口８から突出しないように投光器３の内部側に向かって後退した位置に設けられている。また、必要に応じて開口８には発光ダイオードＤを保護するための透明カバーが設けられる。
【００３５】
当該構成の投光器３は、上記のように光源５が横方向に長く形成されており、搭載した発光ダイオードＤは開口８の直近に配置される。発光ダイオードＤが砲弾型に形成した樹脂に封入した構造のものである場合、発光部分を覆う樹脂のレンズ効果によって放射方向に高い指向性を有するとともに、その周囲における一定の角度の範囲内においてもある程度の強い赤外光を放射する。このため、発光体までの距離に比例して赤外光が広範囲に広がることになり、上記投光器３をそのままホールＨのような広い場所で使用した場合には広範囲に赤外光が照射され、ホールＨの広範囲において同一の制御内容に基づいて投光器３が発光する。
【００３６】
図３及び図４を参照して、コントローラ４の概略構成について説明する。本実施形態のコントローラ４は、制御部１０、記憶部１１、入力インタフェース１２及び出力インタフェース１３を有する。
【００３７】
制御部１０は、ピーク検出部１４、パルス幅調整部１５、駆動制御部１６及び波形増幅・整形部１７を有する。
【００３８】
ピーク検出部１４は、入力インタフェース１２が受け入れた、後述する再生装置３０から出力される音響信号であるオーディオ信号の時間軸上におけるピーク位置を検出する。本実施形態のピーク検出部１４は、オーディオ信号の電圧値の絶対値が所定の閾値を超えたか否かを判定し、閾値を超えたと判定することによりオーディオ信号の時間軸上におけるピーク位置を検出する。
【００３９】
また、本実施例のピーク検出部１４はオーディオ信号の電圧値の変更指示を受け入れる変更入力部１４ａを有する。さらに本実施例のピーク検出部１４は、オーディオ信号の電圧値の絶対値が所定の閾値を超えたと判定したタイミングにおいて所定幅のパルス信号を出力する。
【００４０】
パルス幅調整部１５は、ピーク検出部１４が出力するパルス信号のパルス幅を広くする。
【００４１】
ピーク検出部１４及びパルス幅調整部１５の具体的回路構成について、図４を参照して説明する。入力インタフェース１２を構成するオーディオ信号のＬチャンネル側入力端子１２ａ、及びＲチャンネル側入力端子１２ｂからそれぞれ入力されるオーディオ信号（図９（ａ）参照）は、Ｌチャンネル及びＲチャンネルのオーディオ信号が合成されて変更入力部１４ａを構成する可変抵抗器に入力され、この可変抵抗器よりその電圧値が調整されてコンパレータ１４ｂの＋入力端子に入力される。また、抵抗１４ｃにより所定の電圧値（閾値）に調整された比較電圧がコンパレータ１４ｂの−入力端子に入力される。
【００４２】
そして、電圧値が調整されたオーディオ信号の電圧値の絶対値が閾値を超えたら、コンパレータ１４ｂはこのタイミングをオーディオ信号の時間軸上におけるピーク位置と判定し、所定幅のパルス信号を出力する（図９（ｂ）参照）。
【００４３】
パルス幅調整部１５は、例えばテキサスインスツルメンツ社製のＮＥ５５５のようなタイマ回路１５ａを備え、このタイマ回路１５ａのＴＲＩＧ端子には、反転されたパルス信号がピーク検出部１４から入力される。タイマ回路１５ａは、抵抗１５ｂの抵抗値及びコンデンサ１５ｃの静電容量値により定められる値に基づいて、パルス幅が広げられたパルス信号をＯＵＴ端子から出力する（図９（ｃ）参照）。なお、タイマ回路１５ａのＯＵＴ端子には発光ダイオード１５ｄが並列接続されている。この発光ダイオード１５ｄの点滅はパルス信号に対応するので、駆動制御部１６へのパルス信号の入力及びパルス信号のパルス幅をこの発光ダイオード１５ｄの点滅で概略確認することができる。
【００４４】
パルス幅調整部１５から出力されるパルス信号の幅は、このパルス幅調整部１５の後段に設けられた、駆動制御部１６を構成するマイコン回路が適切にパルス信号を検出できる幅に調整されている。言い換えれば、ピーク検出部１４から出力されるパルス信号の幅は、オーディオ信号の電圧値の絶対値と閾値との関係で狭くなることがあり得るので、パルス幅調整部１５により、マイコン回路が適切に検出できる幅に広げているのである。
【００４５】
マイコン回路を備える駆動制御部１６は、記憶部１１内に格納されたファームウェア等のプログラムが実行されることにより、ピーク検出部１４によりピーク位置が検出されたことをトリガとして、発光器１により発光される色及びパターンの少なくとも一つの変更指示信号を含む制御コードを生成し、この制御コードによって変調した赤外線信号を出力する。
【００４６】
本実施例の駆動制御部１６は、パルス幅調整部１５からのパルス信号出力をトリガとして、発光器１により所定時間だけ特定の色及びパターンの少なくとも一つによる発光を継続させる変更指示信号を出力し、所定時間内に再度パルス幅調整部１５からのパルス信号出力があったら、特定の色及びパターンの少なくとも一つとは異なる前記色及びパターンの少なくとも一つによる発光を指示する変更指示信号を出力する。
【００４７】
さらに、本実施例の駆動制御部１６は、所定時間内に再度パルス幅調整部１５からのパルス信号出力がなかったら、発光器１の消灯を指示する変更指示信号を出力する。
【００４８】
駆動制御部１６から出力された赤外線出力信号は、波形増幅・整形部１７により所定の振幅に増幅されるとともに出力信号の整形が行われて発光部である光源５に供給される。制御コードの詳細については後述する。
【００４９】
記憶部１１は、例えば上述のマイコン回路に内蔵されるＲＯＭ、ＲＡＭ等の半導体メモリであり、駆動制御部１６を含む制御部１０を動作させるためのファームウェア等のプログラムが格納されている。また、記憶部１１は、制御部１０の動作の際に必要となるワークメモリとしても用いられる。
【００５０】
入力部である入力インタフェース１２は、再生装置３０等からのオーディオ信号の入力を受け入れ、受け入れたオーディオ信号を制御部１０に送出する。入力インタフェース１２が受け入れ可能なオーディオ信号は、再生装置３０から出力されるオーディオ信号に加えて、一般的な民生機器であるｍｐ３プレーヤー、ＣＤプレーヤー、オーディオアンプから出力されるオーディオ信号などである。出力インタフェース１３は、制御部１０、より詳細には波形増幅・整形部１７から出力される、制御コードを含む赤外線出力信号を光源５に供給する。
【００５１】
＜発光器＞
次に、図５及び図６を参照して、本実施例の発光器について説明する。図５は一実施例の発光システムを構成する発光器の概略構成を示すブロック図、図６は一実施例の発光器を示す上面図である。
【００５２】
本実施例の発光器１は、図１に示すように、ホールＨの客席ＳＥで参加しているイベントの参加者やコンサートの聴衆に事前に配布され、参加者等がこの発光器１をホールＨの客席ＳＥで所持している。
発光器１は、図６に示すように、発光器１の使用者が把持する外形略円筒状の本体部２０と、この本体部２０から延出する発光部２１とを有し、全体として棒状に形成されている。
【００５３】
図５の回路図に示すように、発光器１は、受光部２２（受信部）、波形増幅・整形部２３、駆動制御部２４、可視光発光部２５（２５ａ、２５ｂ、２５ｃ）、電源２６を有している。これら回路要素のうち、受光部２２及び可視光発光部２５は発光部２１内に収納され、波形増幅・整形部２３、駆動制御部２４及び電源２６は本体部２０内に収納されている。
【００５４】
受光部２２はフォトダイオード等の受光素子を有し、発光指示装置２の光源５が出力した赤外光（赤外線信号）を受光部２２が受光すると、この赤外線信号に対応する信号を出力する。波形増幅・整形部２３は、受光部２２から出力された信号を所定レベルの電圧となるように調整するとともに波形を整形し、変調された信号から制御コードを抽出する抽出手段として機能する。
【００５５】
駆動制御部２４は、電源２６から供給される駆動電力により動作し、波形増幅・整形部２３により抽出された制御コードに基づいて、可視光発光部２５を所定のパターン及び色で発光させるための可視光出力指示信号をこの可視光発光部２５に出力する。可視光発光部２５は、可視光を発光する発光ダイオード（ＬＥＤ）等の光源によって形成されたものであり、本実施例ではそれぞれ赤・青・緑の光を発光する発光ダイオード（２５ａ、２５ｂ、２５ｃ）によって構成されている。
【００５６】
＜制御コード＞
次に、制御コードについて説明する。制御コードは、発光指示装置２によって送信される赤外線信号に含まれている。赤外線信号に含まれる制御コードの一例を図７に示す。図７の上段は赤外線信号に含まれる制御コードの一例、第２段目はリーダーコードおよびコードＡの部分を時間軸方向に拡大した説明図、第３段目は第２段目に示したリーダーコードとコードＡをさらに時間軸方向に拡大した説明図、第４段目は発光される赤外線信号の最小パルス幅を表している。
【００５７】
図７に示す通り、赤外線信号には制御コードとして、リーダーコードおよびコードＡ〜Ｇ等として示した７つのコードおよびストップビットが含まれている。リーダーコードとストップビットは、制御コードの始まりと終わりを認識させるコードであり、当該リーダーコードとストップビットの間に配置された各コードが発光器１を駆動する制御命令となる。
【００５８】
コードＡはカスタムコードである。当該コードは、自社（メーカー）の製品であることを判別するメーカー固有の照合コードである。照合コードは発光器１が記憶しているコードの一致・不一致を検証するためのものであり、一致した場合にのみ発光器１が他の制御コードを命令として受け付ける。また、生産時期などの管理も兼ねたコードとなっている。
【００５９】
コードＢはピンポイントコードである。当該コードは、発光指示装置２の種別を表す照合コードとなっており、発光器１が有するＩＤコードとの一致・不一致を判別する。
【００６０】
本実施例では、比較的狭い範囲にのみ赤外光を照射するように構成したスポットタイプの発光指示装置と、広い領域全体を照射するように構成された広域タイプの発光指示装置２が用意されており、図１〜図４に示す発光指示装置２は広域タイプの発光指示装置２である。当該コードによって、赤外線信号がどちらの装置から発信されているのかを判別でき、スポットタイプのＩＤコードを認識することによって広域タイプの発光指示装置では行うことができない特定の制御を行わせることができる。
【００６１】
コードＣ〜ＥはハードＩＤコードである。当該コードは、必要に応じて発光器１内の図略のメモリに予め記憶され、発信されたコードＣ〜Ｅとの一致、不一致を照合することができる。一致した場合には特定の動作モードに切り替える、特定の制御信号を無視あるいは実行する等の個別の制御を行える。例えば、発光器１をクライアントやタレント違いその他の用途によって使い分けるために割り振られたコードとして使用することができ、あるいは、端末ＩＤと同様に同じハードＩＤコードを受光した場合に発光や調光の制御データの指示に従い発光ダイオードを発光させるという使い方ができる。
【００６２】
コードＦ〜Ｇは輝度制御コードである。発光器１に搭載されている３色の発光ダイオード２５ａ、２５ｂ、２５ｃの輝度を制御するコードである。
【００６３】
＜受光器の動作＞
次に、図８に示したフローチャートを用いて、赤外線信号を受信した発光器１の主な動作について説明する。
【００６４】
発光器１の電源スイッチを入れると、無信号時に動作するように記憶されている発光パターンで発光ダイオード２５ａ、２５ｂ、２５ｃを点灯あるいは点滅させるとともに（Ｓ１）、受光部２２によって赤外線信号を受信可能な状態にする。
【００６５】
受光部２２に赤外線信号が入力されると（Ｓ２）、受光部２２は赤外線信号に対応する信号を出力し、波形増幅・整形部２３はこの信号から制御コードを抽出し、駆動制御部２４は、制御コードに含まれるコードＡが、発光器１が記憶している識別情報に含まれる照合コードと一致しているか否かを判定する（Ｓ３）。当該照合コードには、発光指示装置２が出力するコードＡおよびコードＣ〜Ｅが含まれる。判定の結果、抽出した制御コードにコードＡが含まれていない場合（発光器１が記憶している識別情報と一致しない）には、再び赤外線信号の受信可能な状態（Ｓ１）に戻り、コードＡが発光器１が記憶している識別情報と一致した場合には、次のステップとしてコードＢの内容を判定する（Ｓ４）。
【００６６】
コードＢは、本実施例では「１」あるいは「０（１以外）」の何れかを示すコードとなっており、「１」の場合には発光指示装置２が「スポットタイプ」のものであり、「１以外」のコードである場合には「スポットタイプ」以外（本実施の形態では「広域タイプ」）のタイプであると判断する。
【００６７】
「コードＢ＝１」である場合には、現在の発光色・調光値を駆動制御部２４内の図略の記憶部に保存（Ｓ５）した後、発行色制御コードであるコードＧによって指定された内容で発光ダイオード２５ａ、２５ｂ、２５ｃを発光させる（Ｓ６）。そして、この発光と同時に駆動制御部２４内の図略のタイマを０．５秒にセットし（Ｓ７）、当該タイマによる設定時間をカウントし、セットした時間の経過とともに前記ステップＳ５で保存した発光色・調光値に基づいて各発光ダイオード２５ａ、２５ｂ、２５ｃを発光させる（Ｓ９）。そして、当該ステップＳ９の後、再び赤外線信号の受信可能な状態（Ｓ１）に戻る。
【００６８】
本実施例では、上記０．５秒にセットされたタイマ時間は予め発光器１に記憶された固定データとなっている。このタイマが有効になっている一定時間については、コードＢ＝１とともに送信された他の制御コードに基づいた内容で発光が行われる。そして、駆動制御部２４のタイマによる計時がされている間は、発光指示装置２から制御信号が送信されていても割り込みを許容しない。
【００６９】
なお、上記タイマ時間は固定値として設定されたものとなっているが、発光器に調節手段を設け任意の時間に設定できるようにしても差し支えないものである。また、上記制御コード「コードＢ＝１」の送信とともに発光指示装置２からタイマ時間を設定する信号を送信し、当該送信された設定時間に伴ったタイマ動作をさせてもよい。
【００７０】
前記「コードＢ＝１」の検出（Ｓ４）によってステップＳ６で設定された発光色・調光値による発光を行ってから、「コードＢ＝１」の検出前の状態に戻るまでの処理（Ｓ８）は、実際には複雑な処理になっているが、図１２では要約した内容を示している。当該ステップＳ８で行っているのは、「コードＢ＝１」に伴って行われた発光を終了させるまでの処理であり、発光器１が連続的に「コードＢ＝１」を受信可能な状態であったり、断続的に受信可能な状態であったり、赤外線信号を全く検出できない状態になった場合などの種々の条件に対応した処理を行っている。
【００７１】
また、コードＢは、発光器１の個体情報（ハードＩＤ）を表すコードＣ〜Ｅの有無に優先するものであって、ハードＩＤが異なる複数種類の発光器１が存在している場合であっても、コードＢ＝１であると判定することによってハードＩＤの一致・不一致にかかわらず「スポットタイプ」の発光指示装置２が発信する信号に対して優先的に従うようになっている。コードＢは他の制御コードに優先して実行される最優先コードとなっている。
【００７２】
前記ステップＳ４で「コードＢ＝１」ではない場合には、次に「コードＣ＝１」（発光器１のハードＩＤがコードＣと同一）であるか否かが判定され（Ｓ１０）、「コードＣ＝１」である場合にはコードＧの値に合った色を点灯するとともに、コードＦの内容応じた調光を行う（Ｓ１１）。
コードＦは３ｂｉｔのデータであって発光器１の赤色の発光ダイオードの輝度を８段階（消灯〜最大照度での点灯）で指定できるようになっている。また、コードＧも３ｂｉｔデータであって発光器１の緑色の発光ダイオードの輝度を８段階（消灯〜最大照度での点灯）で指定できるようになっている。さらに、コードＩも３ｂｉｔデータであって発光器１の青色の発光ダイオードの輝度を８段階（消灯〜最大照度での点灯）で指定できるようになっている。そして、これら３色の発光ダイオードを調光して３４３種類（７段階×７段階×７段階）の色を発光できるようになっている。
【００７３】
前記ステップＳ１０において「コードＣ＝１」でない場合には、さらに他のハードＩＤと一致するか否かを判定するため、発光器１のハードＩＤが「コードＤ」と一致するか否かの判定（Ｓ１２）、発光器１のハードＩＤが「コードＥ」と一致するか否かの判定（Ｓ１３）を行う。
【００７４】
なお、当該フローチャートには示していないが、「コードＤ」あるいは「コードＥ」の一致に伴って実行される処理を適宜設けることができるようになっており、当該処理が終わると赤外線信号の受信可能状態（Ｓ２）に戻るようになっている。
【００７５】
また、上記処理において、何れのハードＩＤもコードＣ〜コードＥと一致しない場合には、赤外線信号の受信可能状態（Ｓ２）に戻る。
【００７６】
＜再生装置＞
本実施例の発光システムＳは、図１に示すように、オーディオ信号を出力する再生装置３０と、この再生装置３０から出力されるオーディオ信号に基づいてホールＨ内に音響効果を与える一対のスピーカ３１とを備える。スピーカ３１は、例えばホールＨのステージＳＴの左右両側に設けられ、ホールＨの客席ＳＥに向けて音波を放射する。
【００７７】
図３に示すように、再生装置３０は、再生制御部３２、記憶部３３、入力インタフェース３４、表示インタフェース３５及び出力インタフェース３６を備える。
【００７８】
再生制御部３２は、記憶部３３内に格納されている音楽データ３７を読み出し、この音楽データ３７に基づいてオーディオ信号を生成して、出力インタフェース３６を介してこのオーディオ信号を外部に出力する。
【００７９】
記憶部３３は、例えばハードディスク装置等の記憶媒体を備え、この記憶媒体に複数の音楽データ３７が格納されている。記憶部３３は、再生制御部３２からの要求に基づいて音楽データ３７を読み出し、読み出した音楽データ３７を再生制御部３２に送出する。
【００８０】
入力インタフェース３４は、キーボード、操作卓等の入力装置３８から出力された入力指示信号を受け入れ、この入力指示信号を再生制御部３２に送出する。表示インタフェース３５は、再生制御部３２から出力された表示制御信号をディスプレイ等の表示装置３９に送出し、この表示装置３９に所定の表示画面を表示させる。出力インタフェース３６は、再生制御部３２から出力されたオーディオ信号をスピーカ３１及びコントローラ４に送出する。
【００８１】
＜発光システムの動作及び効果＞
このような本実施例の発光システムＳを用いて音響及び発光による演出効果を実現するには、一例として、発光システムＳの操作者が入力装置３８を操作して、再生装置３０の記憶部３３に格納されている音楽データ３７の中から、ホールＨで再生を行う音楽データ３７を選択し、音楽データ３７の再生指示を行う。入力装置３８は操作者による再生指示に基づいて入力指示信号を生成して再生装置３０に送出する。
【００８２】
再生制御部３２は、入力装置３８からの入力指示信号に基づいて、再生指示のあった音楽データ３７を記憶部３３から読み出し、この音楽データ３７を再生してオーディオ信号を生成し、出力インタフェース３６を介してこのオーディオ信号をスピーカ３１及びコントローラ４に送出する。
【００８３】
なお、音楽データ３７のリスト、選択結果等に関する情報は、表示インタフェース３５を介して表示装置３９に表示される。
【００８４】
入力インタフェース１２を介してコントローラ４にオーディオ信号が入力されると、このオーディオ信号は制御部１０に入力される。まず、制御部１０のピーク検出部１４は、このオーディオ信号の時間軸上のピーク位置を検出し、このピーク位置に対応するパルス信号を出力する。次に、パルス幅調整部１５は、ピーク検出部１４から出力されたパルス信号のパルス幅を広くする。これらピーク検出部１４及びパルス幅調整部１５の動作については既に詳細に説明したので、ここでの説明は簡略化する。
【００８５】
駆動制御部１６の動作について、図１０のフローチャートを参照して詳細に説明する。図１０のフローチャートに示す動作は、駆動制御部１６を含むコントローラ４の電源がオンしたことにより開始する。
【００８６】
まず、パルス幅調整部１５からパルス信号が到来しない段階では、駆動制御部１６は発光器１を消灯させる指示を行うための制御コードを含む赤外線出力信号を出力する（Ｓ２０、Ｓ２１）。
【００８７】
そして、パルス幅調整部１５からパルス信号が到来したら（Ｓ２１においてＹＥＳ）、駆動制御部１６は発光器１を赤色で発光させる指示を行うための制御コードを含む赤外線出力信号を出力する（Ｓ２２）。
【００８８】
次いで、駆動制御部１６は再度パルス幅調整部１５からのパルス信号の到来を３秒間待ち（Ｓ２３、Ｓ２４）、３秒以内にパルス信号が到来したら（Ｓ２３においてＹＥＳ）、駆動制御部１６は１秒間だけ前の発光色（この場合は赤色）を保持した後（Ｓ２６）、発光器１を緑色で発光させる指示を行うための制御コードを含む赤外線出力信号を出力する（Ｓ２７）。
【００８９】
一方、３秒以内にパルス信号が到来しない場合（ステップＳ２４においてＮＯ）、駆動制御部１６は発光器１を消灯させる指示を行うための制御コードを含む赤外線出力信号を出力し（Ｓ２５）、再度パルス信号の到来を待つ（Ｓ２３）。
【００９０】
さらに、駆動制御部１６はパルス幅調整部１５からのパルス信号の到来を３秒間待ち（Ｓ２８、Ｓ２９）、３秒以内にパルス信号が到来したら（Ｓ２８においてＹＥＳ）、駆動制御部１６は１秒間だけ前の発光色（この場合は緑色）を保持した後（Ｓ３１）、発光器１を青色で発光させる指示を行うための制御コードを含む赤外線出力信号を出力する（Ｓ３２）。
【００９１】
一方、３秒以内にパルス信号が到来しない場合（ステップＳ２９においてＮＯ）、駆動制御部１６は発光器１を消灯させる指示を行うための制御コードを含む赤外線出力信号を出力し（Ｓ３０）、再度パルス信号の到来を待つ（Ｓ２８）。
【００９２】
以降、駆動制御部１６は、ステップＳ２３〜Ｓ２８に示す動作を繰り返し行う。本実施例では、駆動制御部１６は、発光器１による発光の色を１０色程度用意しておく。
【００９３】
そして、駆動制御部１６は、１０回目であるパルス幅調整部１５からのパルス信号の到来を３秒間待ち（Ｓ３３、Ｓ３４）、３秒以内にパルス信号が到来したら（Ｓ３３においてＹＥＳ）、駆動制御部１６は１秒間だけ前の発光色を保持した後（Ｓ３６）、発光器１を紫色で発光させる指示を行うための制御コードを含む赤外線出力信号を出力し（Ｓ３７）、さらにパルス信号の到来を待つ（Ｓ２１）。
【００９４】
一方、３秒以内にパルス信号が到来しない場合（ステップＳ３４においてＮＯ）、駆動制御部１６は発光器１を消灯させる指示を行うための制御コードを含む赤外線出力信号を出力し（Ｓ３５）、再度パルス信号の到来を待つ（Ｓ３３）。
【００９５】
このように、本実施例の発光システムＳでは、オーディオ信号のピーク位置に応じてピーク検出部１４及びパルス幅調整部１５が出力するパルス信号が駆動制御部１６に到来する度に、発光器１による発光の色を順次、赤→緑→青→…紫→赤…に周期的に変更する制御を駆動制御部１６が行い、これに基づいて発光器１は自身の発光色を順次周期的に変更する。発光器１による発光は最大で３秒継続し、この間に次のパルス信号が駆動制御部１６に到来すると、前の発光色を１秒だけ保持した後、発光器１による発光色を変更する。一方、３秒以内に次のパルス信号が駆動制御部１６に到来しない場合は、一旦発光器１による発光を停止（消灯）させ、次のパルス信号が駆動制御部１６に到来するのを待つ。
【００９６】
以上説明したように、本実施例の発光指示装置２は、再生装置３０等からのオーディオ信号の入力を受け入れる入力インタフェース１２と、オーディオ信号の時間軸上におけるピーク位置を検出するピーク検出部１４と、ピーク検出部１４によりピーク位置が検出されたことをトリガとして、発光器１により発光される色及びパターンの少なくとも一つの変更指示信号を含む制御コードを生成し、この制御コードによって変調した赤外線信号を出力する駆動制御部１６とを有するので、オーディオ信号のピーク位置をピーク検出部１４が検出すると駆動制御部１６が変更指示信号を含む制御コードを生成し、この制御コードによって変調した赤外線信号を出力するので、発光器１はこの赤外線信号に基づいて自身の発光色及びパターンの少なくとも一つを変更した発光動作を行う。これにより、演出操作を自動的に行うことができ、さらに、演出効果の制御を行うことができる。
【００９７】
ここで、ピーク検出部１４はオーディオ信号の電圧値の絶対値が所定の閾値を超えたか否かを判定し、閾値を超えたと判定することによりオーディオ信号の時間軸上におけるピーク位置を検出するので、一定の音響効果に基づいて確実に発光器１による発光パターンを変更させることができ、演出効果の制御を確実に行うことができる。
【００９８】
また、ピーク検出部１４が音響信号の電圧値の変更指示を受け入れる変更入力部１４ａを有するので、音響信号の傾向に応じてこの電圧値を変更することにより、音響効果に基づいて的確に発光器による発光パターンを変更させることができ、演出効果の制御をより確実に行うことができる。
【００９９】
さらに、発光指示装置２は、ピーク検出部１４が出力するパルス信号のパルス幅を広くするパルス幅調整部１５を有し、駆動制御部１６はパルス幅調整部１５から出力されるパルス信号をトリガとするので、パルス幅調整部１５から出力されるパルス信号に基づいて駆動制御部１６が確実に制御コードを生成することができ、演出効果の制御を確実に行うことができる。
【０１００】
さらに、駆動制御部１６が、パルス幅調整部１５からのパルス信号出力をトリガとして、発光器１により所定時間だけ特定の色及びパターンの少なくとも一つによる発光を継続させる変更指示信号を出力し、所定時間内に再度パルス幅調整部１５からのパルス信号出力があったら、特定の色及びパターンの少なくとも一つとは異なる色及びパターンの少なくとも一つによる発光を指示する変更指示信号を出力するので、パルス幅調整部１５からのパルス信号出力がある度に発光器１による発光パターンを異ならせることができ、これにより、演出効果の制御を確実に行うことができる。
さらに、駆動制御部１６は、所定時間内に再度パルス幅調整部１５からのパルス信号出力がなかったら、発光器１の消灯を指示する変更指示信号を出力するので、オーディオ信号の出力が小さい、あるいはほとんどないときに発光器１を消灯する制御を行うことができ、これにより、演出効果の制御を確実に行うことができる。
【０１０１】
（その他）
本発明の発光指示装置及び発光システムは、その細部が上述の各実施例に限定されず、本発明の要旨を変更しない範囲で適宜変更が可能である。
【０１０２】
一例として、上述の一実施例では、ピーク検出部１４から出力されるパルス信号のパルス幅をパルス幅調整部１５により広くして駆動制御部１６に入力していたが、ピーク検出部１４から出力されるパルス信号のパルス幅や駆動制御部１６の性能に鑑み、パルス幅調整部１５を省略して、ピーク検出部１４からのパルス信号を直接駆動制御部１６に入力しても良い。
【０１０３】
また、一実施例の発光指示装置２では、ピーク検出部１４にオーディオ信号の電圧値を変更するための変更入力部１４ａを設け、変更入力部１４ａにより電圧値が変更されたオーディオ信号と閾値との比較を行っていたが、変更入力部１４ａが閾値の変更を行うとともにオーディオ信号の電圧値はそのままで、これらオーディオ信号と閾値との比較を行ってもよい。
【０１０４】
さらに、一実施例の発光指示装置２では、再生装置３０からのオーディオ信号を直接コントローラ４に入力していたが、スピーカ３１の近傍にマイクロホンを配置し、このマイクロホンの出力をオーディオ信号としてコントローラ４に入力してもよい。
【０１０５】
さらに、一実施例の発光指示装置２では音楽データ３７を再生して生成したオーディオ信号に基づいて発光器１の発光色及びパターンの少なくとも一つの変更制御を行っていたが、オーディオ信号以外の音響信号に基づいて発光器１の制御を行ってもよい。一例として、ホールＨのステージＳＴにおいて演奏を行う演者の演奏タイミングやステージＳＴの照明を操作する操作者の照明切替タイミングを同期させるために、いわゆるクリック音と呼ばれる一定リズムのパルス音信号をコントローラ４に入力し、このクリック音に基づいて発光器１の制御を行ってもよい。
【符号の説明】
【０１０６】
Ｓ    発光システム
１    発光器
２    発光指示装置
３    投光器
４    コントローラ
５    光源（発光部）
１０    制御部
１２    入力インタフェース（入力部）
１４    ピーク検出部
１４ａ  変更入力部
１５    パルス幅調整部
１６    駆動制御部
１７    波形増幅・整形部
３０    再生装置
３１    スピーカ
【図１】
2018195442.tif 000003
【図２】
2018195442.tif 000004
【図３】
2018195442.tif 000005
【図４】
2018195442.tif 000006
【図５】
2018195442.tif 000007
【図６】
2018195442.tif 000008
【図７】
2018195442.tif 000009
【図８】
2018195442.tif 000010
【図９】
2018195442.tif 000011
【図１０】
2018195442.tif 000012